(57)【特許請求の範囲】
【請求項１】
複数の第１端子が配列され、第１コネクタが挿入される第１挿入部と、
複数の第２端子が配列され、第２コネクタが挿入される第２挿入部と、
前記第１挿入部と前記第２挿入部との間に挿脱可能に形成され、前記複数の第１端子及び前記複数の第２端子における対応する端子同士を接続する配線が形成された配線切り替え部と、を備え、
前記配線切り替え部には、前記複数の第１端子及び前記複数の第２端子を異なる対応関係で接続する２通り以上の配線が形成されており、
前記２通り以上の配線のうち使用される配線を切り替え可能であることを特徴とする変換アダプタ。
【請求項２】
複数の第１端子が配列され、第１コネクタが挿入される第１挿入部と、
複数の第２端子が配列され、第２コネクタが挿入される第２挿入部と、
前記第１挿入部と前記第２挿入部との間に挿脱可能に形成され、前記複数の第１端子及び前記複数の第２端子における対応する端子同士を接続する配線が形成された配線切り替え部と、を備え、
前記配線切り替え部には、前記複数の第１端子及び前記複数の第２端子を異なる対応関係で接続する２通り以上の配線が形成されており、
前記配線切り替え部を挿入する際の向きを変更することにより、前記２通り以上の配線のうち使用される配線を切り替え可能であることを特徴とする変換アダプタ。
【請求項３】
前記配線切り替え部は、複数の側面及び２つの底面を有する略角柱状の形状を有し、
前記２通り以上の配線のうち第１配線の端子部は、前記複数の側面のうち対向する２つの面のそれぞれに形成され、前記２通り以上の配線のうち第２配線の端子部は、前記第１配線の端子部が形成された面とは異なり且つ対向する２つの面のそれぞれに形成されていることを特徴とする請求項１または２に記載の変換アダプタ。
【請求項４】
前記２つの底面のうち少なくとも１つには、前記配線切り替え部を挿入する際の向きに対して前記２通り以上の配線のうちいずれが使用されるかの対応関係を示す表示が設けられていることを特徴とする請求項３に記載の変換アダプタ。
【請求項５】
配線パターンが異なる複数の前記配線切り替え部を備え、
前記第１挿入部と前記第２挿入部との間に、前記複数の配線切り替え部のうち１つを選択して挿入することにより、前記複数の第１端子及び前記複数の第２端子の接続関係を切り替え可能であることを特徴とする請求項１〜４のいずれか１項に記載の変換アダプタ。
【請求項６】
前記第１挿入部及び前記第２挿入部は、挿入されるコネクタの形状が同じであり、前記複数の第１端子及び前記複数の第２端子における端子の配列が異なることを特徴とする請求項１〜５のいずれか１項に記載の変換アダプタ。
【請求項７】
前記第１挿入部及び前記第２挿入部は、挿入されるコネクタの形状が異なることを特徴とする請求項１〜５のいずれか１項に記載の変換アダプタ。
【請求項８】
前記第１コネクタの規格はＲＳ−２３２であり、前記第２コネクタの規格はＲＪ４５であることを特徴とする請求項７に記載の変換アダプタ。
【発明の詳細な説明】
【技術分野】
【０００１】
本発明は、コネクタ同士を接続する変換アダプタに関する。
【背景技術】
【０００２】
ＰＣ（Personal Computer）及びその周辺機器は、様々な規格のインターフェースにより接続されている。例えば、シリアルインターフェースの規格として、ＲＳ−２３２Ｃが知られている。ＲＳ−２３２Ｃにおけるコネクタの形状は、例えばＤ−ｓｕｂ９ピンやＤ−ｓｕｂ２５ピンがある。また、ＰＣの周辺機器（例えば、モデム等）では、上記コネクタとは規格の異なるコネクタ（例えば、ＲＪ４５等）を有するものがある。
【０００３】
異なる規格のコネクタ同士を接続するためには、コネクタの形状差を吸収するための変換アダプタが用いる必要がある。例えば、ロータリースイッチやディップスイッチ等のスイッチ機構を有することにより、コネクタの端子同士を接続する配線の接続関係を任意に変更可能な変換アダプタが知られている。コネクタにおける端子（コンタクトピン）の配列は、製品やメーカーごとに異なる場合があるが、上記構成によれば、このような製品やメーカーごとの違いに応じて、１つの変換アダプタにより端子同士の接続関係を柔軟に変更することができる。
【先行技術文献】
【特許文献】
【０００４】
【特許文献１】特開２００７−１１５２３７号公報
【発明の概要】
【発明が解決しようとする課題】
【０００５】
上記の変換アダプタは、ロータリースイッチやディップスイッチ等のスイッチ機構を有するため、小型化が難しい場合があった。また、複数の端子に対して個々にスイッチの設定を行う必要があるため、切り替え作業が煩雑になってしまう場合があった。
【０００６】
本発明は、上記課題に鑑みなされたものであり、小型化が可能で且つ配線の切り替えが容易な変換アダプタを提供することを目的とする。
【課題を解決するための手段】
【０００７】
本発明は、複数の第１端子が配列され、第１コネクタが挿入される第１挿入部と、複数の第２端子が配列され、第２コネクタが挿入される第２挿入部と、前記第１挿入部と前記第２挿入部との間に挿脱可能に形成され、前記複数の第１端子及び前記複数の第２端子における対応する端子同士を接続する配線が形成された配線切り替え部と、を備え、前記配線切り替え部には、前記複数の第１端子及び前記複数の第２端子を異なる対応関係で接続する２通り以上の配線が形成されており、前記２通り以上の配線のうち使用される配線を切り替え可能であることを特徴とする変換アダプタである。
【０００８】
上記構成において、前記配線切り替え部には、前記複数の第１端子及び前記複数の第２端子を異なる対応関係で接続する２通り以上の配線が形成されており、前記配線切り替え部を挿入する際の向きを変更することにより、前記２通り以上の配線のうち使用される配線を切り替え可能である構成とすることができる。
【０００９】
上記構成において、前記配線切り替え部は、複数の側面及び２つの底面を有する略角柱状の形状を有し、前記２通り以上の配線のうち第１配線の端子部は、前記複数の側面のうち対向する２つの面のそれぞれに形成され、前記２通り以上の配線のうち第２配線の端子部は、前記第１配線の端子部が形成された面とは異なり且つ対向する２つの面のそれぞれに形成されている構成とすることができる。
【００１０】
上記構成において、前記２つの底面のうち少なくとも１つには、前記配線切り替え部を挿入する際の向きに対して前記２通り以上の配線のうちいずれが使用されるかの対応関係を示す表示が設けられている構成とすることができる。
【００１１】
上記構成において、配線パターンが異なる複数の前記配線切り替え部を備え、前記第１挿入部と前記第２挿入部との間に、前記複数の配線切り替え部のうち１つを選択して挿入することにより、前記複数の第１端子及び前記複数の第２端子の接続関係を切り替え可能である構成とすることができる。
【００１２】
上記構成において、前記第１挿入部及び前記第２挿入部は、挿入されるコネクタの形状が同じであり、前記複数の第１端子及び前記複数の第２端子における端子の配列が異なる構成とすることができる。
【００１３】
上記構成において、前記第１挿入部及び前記第２挿入部は、挿入されるコネクタの形状が異なる構成とすることができる。
【００１４】
上記構成において、前記第１コネクタの規格はＲＳ−２３２であり、前記第２コネクタの規格はＲＪ４５である構成とすることができる。
【発明の効果】
【００１５】
本発明によれば、小型化が可能で且つ配線の切り替えが容易な変換アダプタを提供することができる。
【図面の簡単な説明】
【００１６】
【図１】図１は、システム全体の構成を示すブロック図である。
【図２】図２は、変換アダプタの外観図である。
【図３】図３は、変換アダプタにおけるコネクタ部分の形状を示す断面模式図である。
【図４】図４は、配線切り替え棒の構成を示す模式図である。
【図５】図５は、配線の接続形態を示す模式図である。
【図６】図６は、端子同士の接続関係を示す表である。
【発明を実施するための形態】
【００１７】
以下、本発明の実施例について、図面を参照し説明する。
【実施例１】
【００１８】
図１は、実施例１に係る変換アダプタを含むシステム全体の構成を示す図である。情報処理装置の一例であるＰＣ１０と、周辺機器の一例であるモデム２０とが、第１ケーブル３０及び第２ケーブル４０を介して接続されている。第１ケーブル３０の一端はＰＣ１０に接続され、第２ケーブル４０の一端はモデム２０に接続されている。第１ケーブル３０のインターフェース規格はＲＳ−２３２Ｃ、第２ケーブル４０のインターフェース規格はＲＪ４５であり、両者はコネクタの形状が異なる。このため、第１ケーブル３０及び第２ケーブル４０は、コネクタの形状差を吸収するための変換アダプタ５０により、互いに接続されている。以下の説明において、第１ケーブル３０のコネクタ部分を第１コネクタ３２、第２ケーブル４０のコネクタ部分を第２コネクタ４２と称する。
【００１９】
図２は、図１に示す変換アダプタ５０の外観斜視図であり、図３は、変換アダプタ５０のコネクタ形状を示す断面模式図である。図２に示すように、変換アダプタ５０は、第１コネクタ３２が挿入（接続）される第１挿入部５２と、第２コネクタ４２が挿入（接続）される第２挿入部５４とを備える。第１挿入部５２及び第２挿入部５４は、それぞれ複数の端子を有し、第１挿入部５２及び第２挿入部５４の対応する端子同士は、変換アダプタ５０の内部において電気的に接続されている。
【００２０】
図３（ａ）に示すように、第１挿入部５２のコネクタ形状は、Ｄ−ｓｕｂ９ピンのメス型となっており、９本の信号端子（以下、第１端子Ａ１〜Ａ９と称する）を有する。また、第１コネクタ３２のコネクタ形状は、Ｄ−ｓｕｂ９ピンのオス型となっており、表面に設けられたコンタクトピン（不図示）が第１端子Ａ１〜Ａ９の設けられた孔に挿入されることで、第１端子Ａ１〜Ａ９と接触する。
【００２１】
図３（ｂ）に示すように、第２挿入部５４のコネクタ形状は、ＲＪ４５のメス型となっており、８本の信号端子（以下、第２端子Ｂ１〜Ｂ８と称する）を有する。また、第２コネクタ４２のコネクタ形状は、ＲＪ４５のオス型となっており、第２コネクタ４２の筐体部分が第２挿入部５４に挿入されることで、第２コネクタ４２の端子が第２端子Ｂ１〜Ｂ８と接触する。
【００２２】
再び図２に戻り、変換アダプタ５０の側面（第１挿入部５２と第２挿入部５４との間）には、配線切り替え棒６０を挿入するための挿入孔５６が形成されている。配線切り替え棒６０は、第１挿入部５２の第１端子Ａ１〜Ａ９及び第２挿入部５４の第２端子Ｂ１〜Ｂ８の対応する端子同士を接続する配線が形成された、配線切り替え部の一例である。配線切り替え棒６０は、変換アダプタ５０の挿入孔５６に挿脱可能に形成されている。
【００２３】
図４は、配線切り替え棒６０の構成を示す模式図である。図４（ａ）は、同じ信号名同士を接続するストレート配線を示しており、ＰＣと周辺機器とを接続する場合等に用いられる。図４（ｂ）は、信号名を入れ替えて接続するクロス配線を示しており、ＰＣ同士を接続する場合等に用いられる。図４（ａ）及び（ｂ）に示すように、配線切り替え棒６０は、４つの側面６１〜６４並びに２つの底面６６及び６７からなる略直方体（四角柱）形状を有する。
【００２４】
図４（ａ）において、配線切り替え棒６０の第１側面６１には、Ｄ−ｓｕｂ９ピンの第１コネクタ３２における第１端子Ａ１〜Ａ９に接続された、９本の信号線（以下、第１信号線Ａ１〜Ａ９と称する）が接続されている。第１側面６１と対向する第２側面６２には、ＲＪ４５の第２コネクタ４２における第２端子Ｂ１〜Ｂ８に接続された、８本の信号線（以下、第２信号線Ｂ１〜Ｂ８と称する）が接続されている。第１信号線Ａ１〜Ａ９及び第２信号線Ｂ１〜Ｂ８は、それぞれ配線切り替え棒６０に形成された内部配線と電気的に接続されている。図４（ａ）では、複数の内部配線のうち、送信信号ＴｘＤ及び受信信号ＲｘＤが伝達される２つの内部配線（Ｃ１及びＣ２）が代表的に図示されているが、他の信号線についても、不図示の内部配線を介して反対側の信号線のいずれかと電気的に接続されている。
【００２５】
ここで、Ｄ−ｓｕｂ９ピンの第１コネクタ３２及びＲＪ４５の第２コネクタ４２における端子の並びは、メーカーや機器の仕様毎に異なる場合がある。従って、第１信号線Ａ１〜Ａ９及び第２信号線Ｂ１〜Ｂ８の対応関係も、上記仕様に合わせて適宜変更可能であることが望ましい。実施例１に係る変換アダプタ５０は、配線切り替え棒６０を挿入孔５６に挿入する際の向きにより、第１信号線Ａ１〜Ａ９と第２信号線Ｂ１〜Ｂ８との接続関係を変更することができる構成となっている。以下、この点について詳細に説明する。
【００２６】
図４（ｂ）は、図４（ａ）における配線切り替え棒６０の挿入の向きを９０°回転させた状態を示している。図４（ｂ）において、配線切り替え棒６０の第３側面６３には、Ｄ−ｓｕｂ９ピンの第１コネクタ３２における第１端子Ａ１〜Ａ９に接続された、９本の第１信号線Ａ１〜Ａ９が接続されている。第３側面６３と対向する第４側面６４には、ＲＪ４５の第２コネクタ４２における第２端子Ｂ１〜Ｂ８に接続された、８本の第２信号線Ｂ１〜Ｂ８が接続されている。
【００２７】
図５は、内部配線と信号線との接続形態を示す断面模式図である。第１信号線Ａは第１側面６１の表面と略平行に延在し、第１側面６１の端部において内部配線Ｃの端子部７０と接続されている。第２信号線Ｂは第２側面６２の表面と略平行に延在し、第２側面６２の端部において内部配線Ｃの端子部７２と接続されている。第１信号線Ａ１〜Ａ９と第２信号線Ｂ１〜Ｂ８との対応する信号線同士は、それぞれ配線切り替え棒６０の内部配線Ｃを介して電気的に接続されている。なお、図５に示した接続形態は一例であり、内部配線と信号線との接触部分の構成は、電気的な接続が図れる構成であれば任意の形態を採用することができる。
【００２８】
また、図５には図示していないが、配線切り替え棒６０には、第１側面６１と第２側面６２とを結ぶ内部配線Ｃの他に、上記側面の間にあり対向する第３側面６３と第４側面６４とを結ぶ内部配線Ｄが形成されている。すなわち、配線切り替え棒６０には、２通りの配線パターンが形成されている。上記側面のうち、いずれの組み合わせ（第１側面６１と第２側面６２、及び第３側面６３と第４側面６４）で信号線との接続が行われるかは、配線切り替え棒６０の挿入の向きにより決定される。
【００２９】
図４（ａ）では、第１信号線Ａ１〜Ａ９と第２信号線Ｂ１〜Ｂ８とが、第１側面６１及び第２側面６２を結ぶ内部配線Ｃにより接続されている。図４（ｂ）では、第１信号線Ａ１〜Ａ９と第２信号線Ｂ１〜Ｂ８とが、第３側面６３及び第４側面６４を結ぶ内部配線Ｄにより接続されている。図４（ａ）における内部配線Ｃは、同じ信号名同士を接続するストレート配線となっており、図４（ｂ）における内部配線Ｄは、信号名を入れ替えて接続するクロス配線となっており、配線パターンが互いに異なっている。
【００３０】
配線切り替え棒６０の底面６６には、上記２つの配線パターンに対応した指示マーク８０が形成されている。配線切り替え棒６０を挿入孔５６に挿入する際に、指示マーク８０の方向を確認することで、配線切り替え棒６０を正しい向きで挿入することができる。図示するように、図４（ａ）と（ｂ）とでは、指示マーク８０の向きが異なっている。
【００３１】
図６は、２つの配線パターンにおける信号線同士の対応関係を示す表である。図６（ａ）はストレート配線を、図６（ｂ）はクロス配線をそれぞれ示している。図６（ａ）及び（ｂ）の双方において、第１コネクタ３２（Ｄ−ｓｕｂ９ピン）では、ＲｘＤ（受診データ）信号の端子番号はＡ２、ＴｘＤ（送信データ）信号の端子番号はＡ３となっている。以下同様に、ＤＴＲ（データ端末レディ）信号はＡ４、ＤＳＲ（データセットレディ）信号はＡ６、ＲＴＳ（送信要求）信号はＡ７、ＣＴＳ（送信可能）信号はＡ８、ＧＮＤ（グランド）はＡ５となっている。端子番号Ａ１及びＡ９の端子は使用されていない。
【００３２】
図６（ａ）のストレート配線では、第１コネクタ３２のＲｘＤ端子（端子番号Ａ２）は第２コネクタ４２の端子番号Ｂ６に、第１コネクタ３２のＴｘＤ端子（端子番号Ａ３）は第２コネクタ４２の端子番号Ｂ３にそれぞれ接続されている。以下同様に、第１側のＤＴＲ端子（端子番号Ａ４）は第２側のＢ２に、第１側のＤＳＲ端子（端子番号Ａ６）は第２側のＢ７に、第１側のＲＴＳ端子（端子番号Ａ７）は第２側のＢ１に、第１側のＣＴＳ端子（端子番号Ａ８）は第２側のＢ８に接続されている。また、第２側のＳＧ（Signal Ground）端子（端子番号Ｂ４及びＢ５）は、第１側のＧＮＤ（端子番号Ａ５）に共通に接続されている。
【００３３】
図６（ｂ）のクロス配線では、第１コネクタ３２のＲｘＤ端子（端子番号Ａ２）は第２コネクタ４２の端子番号Ｂ３に、第１コネクタ３２のＴｘＤ端子（端子番号Ａ３）は第２コネクタ４２の端子番号Ｂ６にそれぞれ接続されている。以下同様に、第１側のＤＴＲ端子（端子番号Ａ４）は第２側のＢ７に、第１側のＤＳＲ端子（端子番号Ａ６）は第２側のＢ２に、第１側のＲＴＳ端子（端子番号Ａ７）は第２側のＢ８に、第１側のＣＴＳ端子（端子番号Ａ８）は第２側の８に接続されている。このように、図６（ｂ）のクロス配線では、グランド線以外でペアとなる２本の信号線同士の接続関係が、図６（ａ）のストレート配線とは逆になっている。第２側のＳＧ端子（端子番号Ｂ４及びＢ５）は、図６（ａ）と同様に、第１側のＧＮＤ（端子番号Ａ５）に共通に接続されている。
【００３４】
実施例１に係る変換アダプタ５０によれば、配線切り替え棒６０を挿入する際の向きを変更するだけで、２通りの配線パターンを容易に切り替えることができる。また、配線切り替え棒６０は、ディップスイッチやロータリースイッチ等のスイッチ機構を有しないため、小型化が容易である。すなわち、実施例１に係る変換アダプタ５０によれば、小型化が可能で且つ配線の切り替えが容易な変換アダプタを実現することができる。
【００３５】
実施例１では、配線切り替え棒６０の形状を略直方体（四角柱）とした例について説明したが、配線切り替え棒６０の形状はこれに限られるものではない。例えば、配線切り替え棒６０の形状を、３以上の側面及び２つの底面を有する略角柱状としてもよい。この際、複数の側面のうち対向する２つの面に、複数の配線パターンのうち一の内部配線の端子部を形成し、他の対向する２つの面に、複数の配線パターンのうち他の内部配線の端子部を形成してもよい。また、内部配線の端子部は、対向する２つの面ではなく、それ以外の関係にある（例えば、隣接する）２つの面に形成されていてもよい。
【００３６】
実施例１では、配線切り替え棒６０を１つだけ用いる例について説明したが、同様の構成で配線パターンの異なる配線切り替え棒を複数用い、挿入孔５６に挿入する配線切り替え棒の種類を変更することにより、配線パターンの切り替えを行ってもよい。この場合、配線切り替え棒は必ずしも複数の配線パターンを有していなくともよいが、実施例１のように、複数の配線パターンを有する配線切り替え棒をさらに複数用いることにより、より多種の配線パターンに対応することが可能となる。逆に、実施例１のように配線切り替え棒を１つとした場合には、部品点数を削減することができる等の利点がある。
【００３７】
実施例１では、第１コネクタ３２と第２コネクタ４２のコネクタ形状が異なる例について説明したが、両者のコネクタの形状は同じであってもよい。コネクタの形状が同じであっても、機器の仕様等により信号端子の配置が異なる場合には、変換アダプタにより配線パターンの切り替えを行う意味がある。また、実施例１では、第１コネクタ３２の規格をＲＳ−２３２Ｃとし、第２コネクタ４２の規格をＲＪ−４５としたが、使用可能なコネクタの規格はこれらに限定されるものではない。
【００３８】
以上、本発明の実施例について詳述したが、本発明は係る特定の実施例に限定されるものではなく、特許請求の範囲に記載された本発明の要旨の範囲内において、種々の変形・変更が可能である。
【符号の説明】
【００３９】
１０          ＰＣ
２０          モデム
３０          第１ケーブル
３２          第１コネクタ
４０          第２ケーブル
４２          第２コネクタ
５０          変換アダプタ
５２          第１挿入部
５４          第２挿入部
５６          挿入孔
６０          配線切り替え棒
６１          第１側面
６２          第２側面
６３          第３側面
６４          第４側面
６６、６７    底面
７０、７２    端子部
８０          指示マーク
Ａ１〜Ａ９    第１端子（第１信号線）
Ｂ１〜Ｂ８    第２端子（第２信号線）
Ｃ、Ｄ        内部配線
【図１】
0005823193.tif 000002
【図２】
0005823193.tif 000003
【図３】
0005823193.tif 000004
【図４】
0005823193.tif 000005
【図５】
0005823193.tif 000006
【図６】
0005823193.tif 000007